(57)【要約】【課題】第１ハウジングと第２ハウジングとの嵌合の完了をより確実に確認することが可能なコネクタセットおよびコネクタを得る。【解決手段】コネクタセットＣ１は、第１ハウジング１０を有する第１コネクタ１と、第２ハウジング２０を有する第２コネクタ２と、いずれか一方のハウジングにスライド可能に保持されるスライド部材３と、を備えている。そして、スライド部材３は、第１ハウジング１０と第２ハウジング２０とが嵌合していない状態では、一方のハウジング１０に形成されたスライド規制部１１１ｄに干渉してスライド部材３の第２位置へのスライドが規制されるように構成されたスライドロック機構３４を備えている。また、スライド規制部１１１ｄが一方のハウジング１０のハウジング本体１１に形成されている。【選択図】図２７
2019192614.tif 000002
【特許請求の範囲】
【請求項１】
第１ハウジングと、前記第１ハウジングに保持される第１端子と、を有する第１コネクタと、
前記第１ハウジングと嵌合する第２ハウジングと、前記第２ハウジングに保持され、前記第１ハウジングと第２ハウジングとを嵌合させた状態で前記第１端子に導通接続される第２端子と、を有する第２コネクタと、
前記第１ハウジングおよび前記第２ハウジングのうちのいずれか一方のハウジングに第１位置と第２位置との間でスライド可能に保持されるスライド部材と、
を備え、
前記第１ハウジングは、
前記第１端子を保持する第１ハウジング本体と、
前記第１ハウジング本体に連設され、前記第１ハウジング本体に対して相対移動するレバー部と、
を備え、
前記第２ハウジングは、
前記第２端子を保持する第２ハウジング本体と、
前記第１ハウジングと第２ハウジングとを嵌合させた状態で前記レバー部に係合し、前記第１ハウジングと第２ハウジングとの嵌合状態を維持する係合部と、
を備え、
前記スライド部材は、前記第１ハウジングと第２ハウジングとが嵌合していない状態では、前記一方のハウジングに形成されたスライド規制部に干渉して前記スライド部材の前記第２位置へのスライドが規制され、前記第１ハウジングと第２ハウジングとが嵌合した状態では、前記スライド規制部との干渉が解除されて前記スライド部材の前記第２位置へのスライドが許容されるように構成されたスライドロック機構を備えており、
前記スライド規制部が前記一方のハウジングのハウジング本体に形成されていることを特徴とするコネクタセット。
【請求項２】
前記スライド部材には、前記第２位置までスライドさせた際に、他方のハウジングに形成された被係止部に係止されて、前記スライド部材の前記第１位置へのスライドを規制する係合部が形成されていることを特徴とする請求項１に記載のコネクタセット。
【請求項３】
前記被係止部が前記他方のハウジングのハウジング本体に形成されていることを特徴とする請求項２に記載のコネクタセット。
【請求項４】
前記スライド部材には、前記第２位置までスライドさせた際に、前記レバー部の前記第１ハウジング本体に対する相対移動を規制する規制部が形成されていることを特徴とする請求項１〜３のうちいずれか１項に記載のコネクタセット。
【請求項５】
請求項１〜４のうちいずれか１項に記載のスライド部材が第１位置と第２位置との間でスライド可能に保持されるハウジングと、
前記ハウジングに保持される端子と、
を備えることを特徴とするコネクタ。
【発明の詳細な説明】
【技術分野】
【０００１】
本開示は、コネクタセットおよびコネクタに関する。
【背景技術】
【０００２】
従来、コネクタセットとして、第１コネクタと第２コネクタとを備えるものが知られている（例えば、特許文献１参照）。このコネクタセットは、第１コネクタの第１ハウジングと第２コネクタの第２ハウジングとを嵌合させることで、第１ハウジングに収容された第１端子と第２ハウジングに収容された第２端子とを導通接続させるものである。
【０００３】
この特許文献１では、第１ハウジングに弾性変形可能に形成されたレバー部を第２ハウジングに形成された被係止部に係止させることで、第１コネクタと第２コネクタとが嵌合状態でロックされるようにしている。
【０００４】
また、この特許文献１に開示されたコネクタセットは、第１ハウジングにスライド可能に保持されるスライド部材をさらに備えている。
【０００５】
このスライド部材は、第１ハウジングの第２ハウジングへの嵌合が完了していない状態では、第１位置から第２位置へのスライド移動が規制されるように、第１ハウジングにスライド可能に取り付けられている。そして、第１ハウジングの第２ハウジングへの嵌合が完了した状態になると、第１位置から第２位置へのスライド移動が許容されるように構成されている。このような構成とすることで、スライド部材の第１位置から第２位置へのスライドによって、第１ハウジングと第２ハウジングとの嵌合の完了を確認できるようにしている。
【０００６】
このように、特許文献１には、コネクタ位置保証（Connector Position Assurance；ＣＰＡ）機能を有するコネクタセットが開示されている。
【先行技術文献】
【特許文献】
【０００７】
【特許文献１】特開２０１７−１５２２７３号公報
【発明の概要】
【発明が解決しようとする課題】
【０００８】
しかしながら、上記従来の技術では、スライド部材に形成された突部をレバー部に形成された被係止部に係止させることで、第１位置から第２位置へのスライド移動を規制している。そのため、第１ハウジングの第２ハウジングへの嵌合が完了していない状態で、レバー部が弾性変形することにより、第１位置から第２位置へのスライド移動が許容されてしまうおそれがある。
【０００９】
このように、嵌合が完了していない状態でスライド部材が第２位置に移動してしまうと、第１ハウジングと第２ハウジングとの嵌合の完了を正確に確認することができなくなってしまう。
【００１０】
そこで、本開示は、第１ハウジングと第２ハウジングとの嵌合の完了をより確実に確認することが可能なコネクタセットおよびコネクタを得ることを目的とする。
【課題を解決するための手段】
【００１１】
本開示にかかるコネクタセットは、第１ハウジングと、前記第１ハウジングに保持される第１端子と、を有する第１コネクタと、前記第１ハウジングと嵌合する第２ハウジングと、前記第２ハウジングに保持され、前記第１ハウジングと第２ハウジングとを嵌合させた状態で前記第１端子に導通接続される第２端子と、を有する第２コネクタと、前記第１ハウジングおよび前記第２ハウジングのうちのいずれか一方のハウジングに第１位置と第２位置との間でスライド可能に保持されるスライド部材と、を備えている。また、前記第１ハウジングは、前記第１端子を保持する第１ハウジング本体と、前記第１ハウジング本体に連設され、前記第１ハウジング本体に対して相対移動するレバー部と、を備えている。また、前記第２ハウジングは、前記第２端子を保持する第２ハウジング本体と、前記第１ハウジングと第２ハウジングとを嵌合させた状態で前記レバー部に係合し、前記第１ハウジングと第２ハウジングとの嵌合状態を維持する係合部と、を備えている。また、前記スライド部材は、前記第１ハウジングと第２ハウジングとが嵌合していない状態では、前記一方のハウジングに形成されたスライド規制部に干渉して前記スライド部材の前記第２位置へのスライドが規制され、前記第１ハウジングと第２ハウジングとが嵌合した状態では、前記スライド規制部との干渉が解除されて前記スライド部材の前記第２位置へのスライドが許容されるように構成されたスライドロック機構を備えている。そして、前記スライド規制部が前記一方のハウジングのハウジング本体に形成されている。
【００１２】
また、本開示にかかるコネクタは、前記スライド部材が第１位置と第２位置との間でスライド可能に保持されるハウジングと、前記ハウジングに保持される端子と、を備えている。
【発明の効果】
【００１３】
本開示によれば、第１ハウジングと第２ハウジングとの嵌合の完了をより確実に確認することが可能なコネクタセットおよびコネクタを得ることができる。
【図面の簡単な説明】
【００１４】
【図１】コネクタセットの一例を示す図であって、ケーブルに実装されるとともにスライド部材が仮保持されたプラグコネクタと、回路基板に実装されたレセプタクルコネクタと、に分解して示す斜視図である。
【図２】コネクタセットの一例を示す図であって、ケーブルに実装されたプラグコネクタと回路基板に実装されたレセプタクルコネクタとを嵌合させ、スライド部材でロックした状態を示す斜視図である。
【図３】一例として示したコネクタセットのプラグコネクタ側の端子とレセプタクルコネクタ側の端子との接触状態を示す図であって、（ａ）は、プラグコネクタ側の下側端子とレセプタクルコネクタ側の下側端子との接触状態を示す斜視図、（ｂ）は、プラグコネクタ側の上側端子とレセプタクルコネクタ側の上側端子との接触状態を示す斜視図である。
【図４】一例として示したプラグコネクタとレセプタクルコネクタとをスライド部材でロックする様子を説明する図であって、スライド部材が仮保持されたプラグコネクタがレセプタクルコネクタに嵌合する前の状態を示す斜視図である。
【図５】一例として示したプラグコネクタとレセプタクルコネクタとをスライド部材でロックする様子を説明する図であって、スライド部材が仮保持されたプラグコネクタをレセプタクルコネクタに嵌合させた状態を示す斜視図である。
【図６】一例として示したプラグコネクタとレセプタクルコネクタとをスライド部材でロックする様子を説明する図であって、プラグコネクタをレセプタクルコネクタに嵌合させつつスライド部材でロックした状態を示す斜視図である。
【図７】一例として示したコネクタセットが備えるスライド部材が仮保持されたプラグコネクタをケーブルに実装する前の状態を示す斜視図である。
【図８】一例として示したコネクタセットが備えるプラグコネクタをケーブルに実装する様子を説明する図であって、（ａ）は、実装前の状態を裏側から視た斜視図、（ｂ）は、実装後の状態を裏側から視た斜視図である。
【図９】一例として示したコネクタセットが備えるプラグコネクタおよびスライド部材を分解して示す斜視図である。
【図１０】プラグコネクタが備えるプラグハウジングを示す図であって、（ａ）は、平面図、（ｂ）は、裏面図である。
【図１１】プラグコネクタが備えるプラグハウジングを示す図であって、（ａ）は、正面図、（ｂ）は、背面図、（ｃ）は、側面図、（ｄ）は、側断面図である。
【図１２】プラグコネクタが備える下側端子を示す図であって、（ａ）は、斜視図、（ｂ）は、平面図、（ｃ）は、側面図、（ｄ）は、裏面図、（ｅ）は、正面図、（ｆ）は、背面図である。
【図１３】プラグコネクタが備える上側端子を示す図であって、（ａ）は、斜視図、（ｂ）は、平面図、（ｃ）は、側面図、（ｄ）は、裏面図、（ｅ）は、正面図、（ｆ）は、背面図である。
【図１４】プラグコネクタとケーブルとの実装状態を示す図であって、（ａ）は、下側端子をケーブルの導体部に実装した状態を示す側断面図、（ｂ）は、上側端子をケーブルの導体部に実装した状態を示す側断面図である。
【図１５】プラグコネクタの脚部保持部を拡大して示す斜視図である。
【図１６】プラグコネクタの第１空間が第２脚部によって分断される状態を説明する図である。
【図１７】プラグコネクタの端子用ガイド溝を拡大して示す斜視図である。
【図１８】一例として示したコネクタセットが備えるレセプタクルコネクタが回路基板に実装される前の状態を示す斜視図である。
【図１９】一例として示したコネクタセットが備えるレセプタクルコネクタを分解して示す斜視図である。
【図２０】一例として示したレセプタクルコネクタが備えるレセプタクルハウジングを示す図であって、（ａ）は、平面図、（ｂ）は、裏面図である。
【図２１】一例として示したレセプタクルコネクタが備えるレセプタクルハウジングを示す図であって、（ａ）は、正面図、（ｂ）は、背面図、（ｃ）は、側面図、（ｄ）は、側断面図である。
【図２２】一例として示したレセプタクルコネクタが備える下側端子を示す図であって、（ａ）は、斜視図、（ｂ）は、平面図、（ｃ）は、側面図、（ｄ）は、裏面図、（ｅ）は、正面図、（ｆ）は、背面図である。
【図２３】一例として示したレセプタクルコネクタが備える上側端子を示す図であって、（ａ）は、斜視図、（ｂ）は、平面図、（ｃ）は、側面図、（ｄ）は、裏面図、（ｅ）は、正面図、（ｆ）は、背面図である。
【図２４】一例として示したレセプタクルコネクタと回路基板との実装状態を示す図であって、（ａ）は、下側端子を回路基板の導体部に実装した状態を示す側断面図、（ｂ）は、上側端子を回路基板の導体部に実装した状態を示す側断面図である。
【図２５】一例として示したコネクタセットが備えるスライド部材を示す図であって、（ａ）は、斜視図、（ｂ）は、平面図、（ｃ）は、側面図、（ｄ）は、裏面図、（ｅ）は、正面図、（ｆ）は、背面図である。
【図２６】一例として示したプラグコネクタにスライド部材が仮保持される状態を示す水平断面図である。
【図２７】一例として示したプラグコネクタとレセプタクルコネクタとをスライド部材でロックする様子を説明する図であって、スライド部材が仮保持されたプラグコネクタがレセプタクルコネクタに嵌合する前の状態を示す側断面図である。
【図２８】一例として示したプラグコネクタとレセプタクルコネクタとをスライド部材でロックする様子を説明する図であって、スライド部材が仮保持されたプラグコネクタをレセプタクルコネクタに嵌合させた状態を示す側断面図である。
【図２９】一例として示したプラグコネクタとレセプタクルコネクタとをスライド部材でロックする様子を説明する図であって、プラグコネクタをレセプタクルコネクタに嵌合させつつスライド部材でロックした状態を示す側断面図である。
【図３０】プラグコネクタをレセプタクルコネクタに嵌合させつつスライド部材でロックした状態で、レバー部の撓みが規制される様子を説明する側断面図である。
【発明を実施するための形態】
【００１５】
以下、本開示の実施形態について図面を参照しながら詳細に説明する。なお、以下では、ケーブル１Ａに実装されるプラグコネクタ１、回路基板２Ａに実装されるレセプタクルコネクタ２を例示する。
【００１６】
また、以下では、被実装部材に実装した状態において被実装部材の実装面と直交する方向（実装面の法線方向）をコネクタの上下方向（Ｚ方向）として説明する。また、各コネクタのハウジングに収容された端子が並設される方向を幅方向（Ｙ方向）とし、各コネクタのハウジング内への端子の挿入方向を前後方向（Ｘ方向）として説明する。
【００１７】
さらに、被実装部材に実装されたコネクタを実装面の上側に位置させた状態における上方を、上下方向の上方と規定し、コネクタ同士を嵌合させる際に互いに相手側コネクタと対向する側を前後方向の前方と規定する。
【００１８】
［コネクタセットの構成例］
本実施形態にかかるプラグコネクタ（第１コネクタ：コネクタ）１は、図１〜３に示すコネクタセットＣ１などで用いられるものである。
【００１９】
コネクタセットＣ１は、図１および図２に示すように、上述したプラグコネクタ１が嵌合するレセプタクルコネクタ（第２コネクタ）２を備えている。
【００２０】
本実施形態では、プラグコネクタ１は、ＦＰＣやＦＦＣ等のケーブル（被接続部材）１Ａに実装可能に形成されている。すなわち、プラグコネクタ１が備える端子１３をケーブル１Ａの導体部１５１ｂＡに電気的に接続する（実装する）ことで、プラグコネクタ１がケーブル１Ａに実装されるようになっている。
【００２１】
一方、レセプタクルコネクタ２は、回路基板（被実装部材）２Ａに実装可能に形成されている。すなわち、レセプタクルコネクタ２が備える端子２３を回路基板２Ａの導体部（図示せず）に電気的に接続する（実装する）ことで、レセプタクルコネクタ２が回路基板２Ａに実装されるようになっている。
【００２２】
このように、コネクタセットＣ１は、プラグコネクタ１をレセプタクルコネクタ２に嵌合させて、端子１３と端子２３とを導通接続させることで、ケーブル１Ａと回路基板２Ａとを電気的に接続させるものである（図２および図３参照）。
【００２３】
さらに、本実施形態では、プラグコネクタ１には、スライド部材３がスライド可能に保持されている（図４〜図６参照）。
【００２４】
このスライド部材３は、プラグコネクタ１のレセプタクルコネクタ２への嵌合が完了していない状態では、第１位置としての初期位置から第２位置としてのスライド完了位置へのスライド移動が規制されるように、プラグコネクタ１にスライド可能に取り付けられている。なお、第１位置および第２位置は適宜設定することができる。
【００２５】
そして、プラグコネクタ１のレセプタクルコネクタ２への嵌合が完了した状態になると、初期位置からスライド完了位置へのスライド移動が許容されるように構成されている。このような構成とすることで、スライド部材３の初期位置からスライド完了位置へのスライドによって、プラグコネクタ１とレセプタクルコネクタ２との嵌合の完了を確認できるようになっている。
【００２６】
このように、本実施形態では、コネクタセットＣ１が、コネクタ位置保証（Connector Position Assurance；ＣＰＡ）機能を有しており、スライド部材３をＣＰＡ部材として機能させている。
【００２７】
［ケーブル１Ａの構成例］
次に、プラグコネクタ１が実装されるケーブル１Ａの構成の一例について、図７，図８に基づき説明する。
【００２８】
ケーブル１Ａは、表面（前面：一面）１ａＡおよび裏面（後面：他面）１ｂＡを持つシート状（平板状）をしており、表面１ａＡが、プラグコネクタ１が実装される実装面となっている。さらに、ケーブル１Ａは可撓性を有しており、ケーブル１Ａをケーブル厚さ方向に曲げる（湾曲させる）ことができるようになっている。
【００２９】
このケーブル１Ａは、プラグコネクタ１との連結に使用される連結領域１１Ａと、他の回路との配線のために導体層１５ｂＡが延伸する延伸領域１２Ａと、を備えている。
【００３０】
本実施形態では、ケーブル１Ａは、延伸領域１２Ａの一端側に連結領域１１Ａが位置するように形成されている。そして、連結領域１１Ａを連結したプラグコネクタ１をレセプタクルコネクタ（レセプタクルコネクタ２やレセプタクルコネクタ３）に嵌合させた状態において、延伸領域１２Ａがレセプタクルコネクタの反対側に位置するようになっている。
【００３１】
また、ケーブル１Ａは、多層構造をしており、支持層１５ａＡと、支持層１５ａＡに支持される導体層１５ｂＡと、を備えている。支持層１５ａＡは、複数の絶縁体膜からなり、導体層１５ｂＡを被覆するものである。一方、導体層１５ｂＡは、支持層１５ａＡを構成する絶縁体膜上に印刷された導体膜であり、後述する複数の端子１３，１４にそれぞれ対応する複数の配線パターンである。
【００３２】
また、連結領域１１Ａの上面には、支持体１５ａＡから露出された導体層１５ｂＡである複数の導体部１５１ｂＡが形成されている。複数の導体部１５１ｂＡは、前後方向に２列形成されており、各列の導体部１５１ｂＡが幅方向（Ｙ方向）に所定のピッチで並ぶように形成されている。さらに、本実施形態では、複数の導体部１５１ｂＡは、平面視（実装面１Ａａに沿って視た状態）で千鳥状となるように形成されている。
【００３３】
このような構造は、例えば、支持層１５ａＡ上に複数の導体膜を印刷することで導体層１５ｂＡを形成し、この導体層１５ｂＡ上を他の支持層１５ａＡで覆うことで形成することができる。このとき、導電層１５ｂＡの先端が覆われないように他の支持層１５ａＡを設けるようにすれば、導電層１５ｂＡの先端が一側（上下方向の上方）に露出したケーブル１Ａが形成される。
【００３４】
なお、ケーブル１Ａの形成方法は上記の方法に限られるものではなく、様々な方法で形成することができる。
【００３５】
また、連結領域１１Ａの上面には、プラグコネクタ１の後述する保持金具１５が固定される固定部１５ｃＡが形成されている。本実施形態では、ケーブル１Ａは、幅方向（Ｙ方向）に並設された複数の導体層１５ｂＡよりも幅方向（Ｙ方向）の両側に延設された幅広部１６Ａを備えており、各幅広部１６Ａの先端側（前後方向の前側）に一対の固定部１５ｃＡが形成されている。また、各幅広部１６Ａの前後方向の後側には、プラグコネクタ１のハウジング１０が固定される固定部１５ｄＡが形成されている。この固定部１５ｃＡや固定部１５ｄＡは、例えば、導体層１５ｂＡの印刷工程において導体層１５ｂＡと同様に形成することができる。
【００３６】
また、本実施形態では、ケーブル１Ａの連結領域１１Ａには、前後方向（Ｘ方向）に細長く、前方に開口するスリット１１ａＡが形成されている。そして、連結領域１１Ａにおけるスリット１１ａＡの幅方向（Ｙ方向）の両側には、ケーブル厚さ方向（上下方向；Ｚ方向）に貫通する貫通孔１１ｂＡが形成されている。
【００３７】
さらに、本実施形態では、ケーブル１Ａが補強板１４Ａを備えている。この補強板１４Ａは、ガラスエポキシ樹脂やステンレス等を用いて形成されており、ケーブル１Ａの連結領域１１Ａをプラグコネクタ１との間に挟み込むことにより、ケーブル１Ａの連結領域１１Ａを補強するものである。
【００３８】
本実施形態では、補強板１４Ａは、ケーブル１Ａの連結領域１１Ａの形状に対応した形状をしている。すなわち、補強板１４Ａは、平面視（実装面１Ａａに沿って視た状態）における輪郭形状が、連結領域１１Ａの輪郭形状と略同一の形状をしている。したがって、補強板１４Ａには、前後方向（Ｘ方向）に細長く、前方に開口するスリット１４ａＡと、ケーブル厚さ方向（上下方向；Ｚ方向）に貫通する貫通孔１４ｂＡと、が形成されている。そして、補強板１４Ａは、スリット１１ａＡとスリット１４ａＡとを連通させるとともに、貫通孔１１ｂＡと貫通孔１４ｂＡとを連通させた状態で、接着剤等により連結領域１１Ａの裏面側に取り付けられている。
【００３９】
このとき、平面視（実装面１Ａａに沿って視た状態）で、導体部１５１ｂＡの全体が補強板１４Ａと重なり合うようにするのが好ましい。こうすれば、導体部１５１ｂＡの全体が補強板１４Ａにより支持されるため、導体部１５１ｂＡが上下方向（Ｚ方向）に折れ曲がったり、幅方向（Ｙ方向）に撓んだりしてしまうのを抑制することができる。
【００４０】
［プラグコネクタ１の構成例］
次に、プラグコネクタ１の構成の一例について、図９〜図１７に基づき説明する。
【００４１】
プラグコネクタ（第１コネクタ）１は、図９に示すように、プラグハウジング（第１ハウジング）１０と、プラグハウジング１０に保持されるプラグ端子（第１端子）１３，１４と、プラグハウジング１０に保持される保持金具１５と、を備えている。
【００４２】
そして、プラグハウジング１０に保持されたプラグ端子１３，１４が、プラグハウジング１０の外側に配置されたケーブル１Ａの導体部１５１ｂＡに実装されることで、プラグコネクタ１が被実装部材としてのケーブル１Ａに実装されるようになっている。なお、プラグ端子１３，１４は、半田付け等により導体部１５１ｂＡに実装されている。また、保持金具１５は、プラグハウジング１０に保持された状態で、半田付け等によりケーブル１Ａの固定部１５ｃＡに固定されることで、プラグハウジング１０をケーブル１Ａに固定するためのものである。
【００４３】
プラグハウジング１０は、剛性を有するハウジング本体（第１ハウジング本体）１１を備えており、このプラグハウジング１０は、例えば、絶縁性の樹脂材料を用いて形成することができる。
【００４４】
また、ハウジング本体１１には、プラグハウジング１０とレセプタクルコネクタ（レセプタクルコネクタ２やレセプタクルコネクタ３）のハウジングとを嵌合状態で保持したり、嵌合状態を解除したりするロック部１２が形成されている。
【００４５】
このように、本実施形態では、プラグハウジング１０は、ハウジング本体１１と、ハウジング本体１１に形成されたロック部１２と、を備えている。
【００４６】
ハウジング本体１１は、天壁１１１と、底壁１１２と、天壁１１１および底壁１１２の幅方向（Ｙ方向）の両端をそれぞれ連設する一対の側壁１１３と、天壁１１１、底壁１１２および側壁１１３，１１３の前端に連設された前壁１１４と、を備えている。
【００４７】
また、ハウジング本体１１は、一対の側壁１１３および前壁１１４に連設されて、天壁１１１、底壁１１２、側壁１１３，１１３および前壁１１４で画成された空間を上下に仕切る仕切り壁１１５を備えている。
【００４８】
さらに、ハウジング本体１１は、天壁１１１、仕切り壁１１５および前壁１１４に連設された上側隔壁１１６を複数備えており、この上側隔壁１１６によって、仕切り壁１１５で仕切られた上側の空間が複数の空間に仕切られている。また、ハウジング本体１１は、底壁１１２、仕切り壁１１５および前壁１１４に連設された下側隔壁１１７を複数備えており、この下側隔壁１１７によって、仕切り壁１１５で仕切られた下側の空間が複数の空間に仕切られている。
【００４９】
そして、このハウジング本体１１の上部の幅方向中央部にロック部１２が形成されている。具体的には、天壁１１１は、幅方向の両側に形成されており、それぞれの天壁１１１の幅方向内側に上側隔壁１１６が連設されている。このように、本実施形態では、ハウジング本体１１は、挿入方向（前後方向；Ｘ方向）に沿って視た状態で、幅方向の中央部が凹んだ形状をしている。そして、このハウジング本体１１の幅方向の中央部に形成された凹部１１ａにロック部１２が形成されている。
【００５０】
ロック部１２は、仕切り壁１１５の前端に連設されて後方に延在するレバー部１２１を備えている。このレバー部１２１は、後側が仕切り壁１１５（ハウジング本体１１）に対して上下方向に相対移動できるようになっている。そして、レバー部１２１の後端には、レバー部１２１を操作する操作部１２１ａが形成されており、レバー部１２１の前後方向の中央部には、レセプタクルコネクタ２に形成された係合凹部（係合部）２２１ａに係合する係合突部１２１ｂが形成されている。
【００５１】
本実施形態では、プラグハウジング１０とレセプタクルコネクタ２のレセプタクルハウジング２０とを嵌合させた際に、係合突部１２１ｂが係合凹部２２１ａに係合して、各コネクタのハウジング同士をロック（嵌合状態で維持）できるようにしている。そして、レバー部１２１の操作部１２１ａを押し下げて、レバー部１２１を下方に移動させることで、係合突部１２１ｂも下方に移動し、係合凹部２２１ａとの係合が解除されて、各コネクタのハウジング同士の嵌合を解除できるようにしている。
【００５２】
さらに、凹部１１ａにおけるレバー部１２１の幅方向両側には、スライド部材３が挿入される挿入空間Ｓ６が形成されている。また、凹部１１ａにおけるレバー部１２１の下方（レバー部１２１と仕切り壁１１５との間）には、レバー部１２１の下方への撓み（ハウジング本体１１に対する相対移動）が許容される撓み許容空間Ｓ７が形成されている。
【００５３】
なお、挿入空間Ｓ６は、凹部１１ａを画成する上側隔壁１１６に、幅方向に突出するように形成された突出壁１１６ａによって、後述するスライド部材３の下側アーム部３２が挿入される空間と、上側アーム部３３が挿入される空間とに区画されている。
【００５４】
また、凹部１１ａを画成する上側隔壁１１６の突出壁１１６ａよりも下側の前後方向の中央部には、段差部１１６ｂが形成されており、下側アーム部３２が挿入される空間は、平面視で、前側が幅広となるように形成されている（図２６参照）。そして、下側アーム部３２の先端（前端）に幅方向外側に突出するように形成された係止突部３２ａを段差部１１６ｂに係止させることで、スライド部材３のハウジング本体１１からの抜けが抑制されるようにしている。
【００５５】
また、天壁１１１には、プラグハウジング１０とレセプタクルハウジング２０との嵌合をガイドするガイド溝１１１ｂが形成されている。
【００５６】
そして、天壁１１１の後部には、平面視で略Ｌ字状をした規制突部（スライド規制部）１１１ｄが形成されている。この規制突部１１１ｄは、プラグハウジング１０のレセプタクルハウジング２０への嵌合が完了していない状態のときに、スライド部材３が初期位置からスライド完了位置へとスライドしてしまうことを規制するものである。
【００５７】
また、底壁１１２の下側（裏面側）の前端には、幅方向に延在する突部１１２ａが下方に向けて突出するように形成されている。この突部１１２ａは、突出量が、ケーブル１Ａの厚さと補強板１４Ａの厚さの和以上となるように底壁１１２に形成されている。
【００５８】
このような突部１１２ａを底壁１１２に形成することで、底壁１１２の下面に凹部１１２ｃが形成されるようにしている。そして、プラグコネクタ１をケーブル１Ａに実装させた際に、補強板１４Ａが取り付けられた連結領域１１Ａがこの凹部１１２ｃに収容されるようにしている（図８（ｂ）参照）。
【００５９】
このように、本実施形態では、プラグハウジング１０は、ハウジング厚み方向（上下方向：Ｚ方向）に対向する一対の壁部（天壁１１１および底壁１１２）を備えている。そして、一対の壁部（天壁１１１および底壁１１２）のうちの一方側の壁部である底壁１１２に、ケーブル１Ａの連結領域１１Ａが収容される凹部１１２ｃが形成されている。すなわち、プラグハウジング１０は、ケーブル（被実装部材）１Ａを受け入れる受入部（凹部１１２ｂ）を、ハウジング厚み方向（上下方向）の一方側の壁部（底壁１１２ｂ）に有している。
【００６０】
なお、本実施形態では、レセプタクルコネクタ２に、スリット１１ａＡおよびスリット１４ａＡに対応するように位置決め突部２１２ｂが形成されている。そして、プラグハウジング１０をレセプタクルハウジング２０に嵌合させる際に、位置決め突部２１２ｂがスリット１１ａＡおよびスリット１４ａＡに挿入されるようにしている。こうすることで、ケーブル１Ａの幅方向の位置ずれが抑制されるようにしている。また、ケーブル１Ａの前方への位置ずれは、突部１１２ａによって抑制されるようにしている。
【００６１】
前壁１１４には、仕切り壁１１５、上側隔壁１１６および下側隔壁１１７により仕切られた複数の空間と連通するように貫通孔１４ａが形成されている。このように、本実施形態では、ハウジング本体１１には、前後方向に貫通する複数の空間が形成されている。そして、前後方向に貫通する空間内に、プラグ端子１３，１４がそれぞれ圧入（挿入）されるようになっている。
【００６２】
本実施形態では、ハウジング本体１１に、幅方向（Ｙ方向）に複数並設された空間が上下方向（Ｚ方向）に２段形成されるようにしている。さらに、ハウジング本体１１を前後方向の後方から視たときに、複数の空間が千鳥状に形成されるようにしている。こうすることで、プラグコネクタ１の幅方向の小型化を図っている。
【００６３】
具体的には、ハウジング本体１１の下側（実装面１ａＡ側）に、底壁１１２、仕切り壁１１５および下側隔壁１１７によって画成された空間を、幅方向（Ｙ方向）に複数並設させている。そして、このハウジング本体１１の下側（実装面１ａＡ側）に形成された空間が、プラグ端子１３，１４のうち後述する下側プラグ端子１３が圧入（挿入）される第１空間Ｓ１となっている。
【００６４】
一方、ハウジング本体１１の上側（第１空間Ｓ１よりも実装面１ａＡから離れた位置）には、天壁１１１、仕切り壁１１５および上側隔壁１１６によって画成された空間を、幅方向（Ｙ方向）に複数並設させている。そして、このハウジング本体１１の上側に形成された空間が、プラグ端子１３，１４のうち後述する上側プラグ端子１４が圧入（挿入）される第２空間Ｓ２となっている。
【００６５】
さらに、本実施形態では、上側隔壁１１６と下側隔壁１１７とが幅方向にずれた位置に形成されている。すなわち、第１空間Ｓ１と第２空間Ｓ２とが、平面視で一部が重なり合うように形成されている。言い換えると、プラグ端子１３，１４がハウジング１０に保持されるとともにケーブル１Ａに実装された状態で、プラグハウジング１０を実装面１ａＡの法線方向（上下方向）に沿って視たときに、第１空間Ｓ１と第２空間Ｓ２とが重なり合うようにしている。
【００６６】
なお、本実施形態では、プラグハウジング１０を幅方向に沿って視たときに、挿入空間Ｓ６と第２空間Ｓ２とが重なり合うようにしている。こうすることで、スライド部材３が保持されるプラグハウジング１０の高さを低く抑えることができるようにしている。
【００６７】
そして、下側プラグ端子１３は、第１空間Ｓ１の後端側の開口から前方に向けて圧入（挿入）されるようになっており、この第１空間Ｓ１の後端側の開口が挿入口Ｓ１ａとなっている。また、第１空間Ｓ１の前端側の開口は、下側プラグ端子１３が抜け落ちないように、挿入口Ｓ１ａよりも小さくなっている。すなわち、挿入口Ｓ１ａから圧入（挿入）された下側プラグ端子１３の前方への移動が、前壁１１４によって規制されるようにしている。なお、第１空間Ｓ１の前端側の開口は、後述するレセプタクルコネクタのレセプタクル端子の接点部を第１空間Ｓ１内に導入する導入口Ｓ１ｂとなっている。この導入口Ｓ１ｂの周縁部は、レセプタクル端子の接点部が導入されやすいようにテーパ状に形成されている。
【００６８】
同様に、上側プラグ端子１４は、第２空間Ｓ２の後端側の開口から前方に向けて圧入（挿入）されるようになっており、この第２空間Ｓ２の後端側の開口が挿入口Ｓ２ａとなっている。また、第２空間Ｓ２の前端側の開口は、上側プラグ端子１４が抜け落ちないように、挿入口Ｓ２ａよりも小さくなっている。すなわち、挿入口Ｓ２ａから圧入（挿入）された上側プラグ端子１４の前方への移動が、前壁１１４によって規制されるようにしている。なお、第２空間Ｓ２の前端側の開口も、後述するレセプタクルコネクタのレセプタクル端子の接点部を第２空間Ｓ２内に導入する導入口Ｓ２ｂとなっている。この導入口Ｓ２ｂの周縁部も、レセプタクル端子の接点部が導入されやすいようにテーパ状に形成されている。
【００６９】
また、天壁１１１の下部には、後方および下方に開口する溝部１１１ｃが第２空間Ｓ２に連通するように形成されている。この溝部１１１ｃは、後述する上側プラグ端子１４の側壁１４４の上端が挿入されて、上側プラグ端子１４の第２空間Ｓ２への圧入（挿入）をガイドするものである。
【００７０】
本実施形態では、図１７に示すように、溝部１１１ｃは、第２空間Ｓ２の幅方向両側に形成されており、各溝部１１１ｃが、挿入口Ｓ２ａから前壁１１４まで延在するように形成されている。
【００７１】
すなわち、溝部１１１ｃは、挿入方向（Ｘ方向）の長さが、側壁１３４の上端の溝部１１１ｃへの挿入が開始されてから完了するまでの間に上側プラグ端子１４が移動する距離以上となるように形成されている。したがって、側壁１３４の上端における最初に溝部１１１ｃに挿入される部位は、溝部１１１ｃへの挿入が開始されてから上側プラグ端子１４の第２空間Ｓ２への圧入（挿入）が完了するまでの間、溝部１１１ｃ内に存在することとなる。
【００７２】
なお、溝部１１１ｃは、溝幅（Ｙ方向の長さ）が側壁１３４の板厚よりも若干広くなるように形成されている。
【００７３】
同様に、仕切り壁１１５の下部には、後方および下方に開口する溝部１１５ａが第１空間Ｓ１に連通するように形成されている。この溝部１１５ａは、後述する下側プラグ端子１３の側壁１３４の上端が挿入されて、下側プラグ端子１３の第１空間Ｓ１への圧入（挿入）をガイドするものである。
【００７４】
本実施形態では、図１７に示すように、溝部１１５ａも、第１空間Ｓ１の幅方向両側に形成されており、各溝部１１５ａが、挿入口Ｓ１ａから前壁１１４まで延在するように形成されている。
【００７５】
すなわち、溝部１１５ａは、挿入方向（Ｘ方向）の長さが、側壁１３４の上端の溝部１１５ａへの挿入が開始されてから完了するまでの間にプラグ端子１３が移動する距離以上となるように形成されている。したがって、側壁１３４の上端における最初に溝部１１５ａに挿入される部位は、溝部１１５ａへの挿入が開始されてから下側プラグ端子１３の第１空間Ｓ１への圧入（挿入）が完了するまでの間、溝部１１５ａ内に存在することとなる。
【００７６】
なお、溝部１１５ａは、溝幅（Ｙ方向の長さ）が側壁１３４の板厚よりも若干広くなるように形成されている。
【００７７】
さらに、本実施形態では、仕切り壁１１５の後端には、上下方向に延在して両端がそれぞれ第１空間Ｓ１および第２空間Ｓ２に開口する溝部１１５ｂが形成されている。具体的には、溝部１１５ｂは、１つの第２空間Ｓ２に連通するように形成された２つの溝部１１１ｃのうちの一方（図１６，図１７の右側）の溝部１１１ｃと上下方向に対向するように形成されている。
【００７８】
すなわち、図１６に示すように、ハウジング１０を前後方向の後方から視たときに、溝部１１５ｂと一方（図１６の右側）の溝部１１１ｃとが、上下方向に一直線上に並ぶように配置されている。この溝部１１５ｂは、圧入（挿入）完了状態における上側プラグ端子１４の脚部１４１の上部が挿入されるものである。
【００７９】
また、底壁１１２の後端には、上下方向に延在して上端が第１空間Ｓ１に開口する溝部１１２ｄが形成されている。具体的には、ハウジング１０を前後方向の後方から視たときに、溝部１１２ｄ、一方（図１６の右側）の溝部１１１ｃおよび溝部１１５ｂが、上下方向に一直線上に並ぶように配置されている。この溝部１１２ｄは、圧入（挿入）完了状態における上側プラグ端子１４の脚部１４１の下部が挿入されるものである。
【００８０】
さらに、底壁１１２の後端には、上下方向に延在して両端がそれぞれ第１空間Ｓ１およびハウジング１０の下方に開口する溝部１１２ｅが形成されている。具体的には、溝部１１２ｅは、１つの第１空間Ｓ１に連通するように形成された２つの溝部１１５ａのうちの一方（図１６，図１７の右側）の溝部１１５ａと上下方向に対向するように形成されている。
【００８１】
すなわち、図１６に示すように、ハウジング１０を前後方向の後方から視たときに、溝部１１２ｅと一方（図１６の右側）の溝部１１５ａとが、上下方向に一直線上に並ぶように配置されている。この溝部１１２ｅは、圧入（挿入）完了状態における下側プラグ端子１３の脚部１３１が挿入されるものである。
【００８２】
また、底壁１１２の後端部には、下方および後方に開口して前後方向に延在する凹部１１２ｆが形成されている。この凹部１１２ｆは、圧入（挿入）完了状態における下側プラグ端子１３の実装片（実装部）１３２が収容されるものである。
【００８３】
また、一対の側壁１１３，１１３には、後方に延在する延設部１１３ａ，１１３ａがそれぞれ形成されており、延設部１１３ａ，１１３ａが対向する領域が、端子１３，１４の実装片（実装部）１３２，１４２が収容される凹部１１３ｂとなっている。
【００８４】
このように、本実施形態では、延設部１１３ａ，１１３ａの後端よりも前側で、端子１３，１４の実装片（実装部）１３２，１４２がケーブル１Ａの導体部１５１ｂＡに実装されるようにしている。さらに、本実施形態では、この延設部１１３ａ，１１３ａの先端部（後端部）がケーブル１Ａの固定部１５ｄＡに固定されるようにしている。このとき、延設部１１３ａ，１１３ａと補強板１４Ａとでケーブル１Ａの連結領域１１Ａが挟持されるようにしている。
【００８５】
こうすれば、ケーブル１Ａがあおられて補強板１４Ａから離れる方向に移動した際に、ケーブル１Ａと補強板１４Ａとの接着が剥がれてしまうのをより確実に抑制することができる。さらに、延設部１１３ａ，１１３ａの先端（後端）よりも前側に端子１３，１４の実装片（実装部）１３２，１４２が位置するようにしているため、ケーブル１Ａのあおりによって端子１３，１４の脚部１３１，１４１や実装片１３２，１４２が変形してしまうのを抑制することができる。すなわち、端子１３，１４とケーブル１Ａとの実装部分をケーブル１Ａのあおりから保護することができる。
【００８６】
また、一対の側壁１１３，１１３の前端部には、保持金具１５が保持される保持金具取付部１１３ｃ，１１３ｃがそれぞれ形成されている。
【００８７】
本実施形態では、保持金具取付部１１３ｃは、上下方向および幅方向の外方に開口する凹部１１３ｄと、凹部１１３ｄの幅方向内側に連設されて、保持金具１５の本体部１５１の前後方向の両端が挿入されるスリット１１３ｅ，１１３ｅと、備えている。そして、保持金具１５をプラグハウジング１０に保持した状態で、本体部１５１の下端に連設された固定片１５２をケーブル１Ａの固定部１５ｃＡに固定することで、プラグハウジング１０をケーブル１Ａに固定させている。
【００８８】
また、本実施形態では、プラグ端子は、プラグハウジング１０に形成された空間に挿入される本体部と、本体部からケーブル１Ａの実装面１ａＡに向けて延設された脚部と、脚部に連設されてケーブル１Ａに実装される実装部と、を備えている。
【００８９】
具体的には、プラグ端子は、ハウジング本体１１の下側（実装面１ａＡ側）に形成された第１空間Ｓ１に圧入（挿入）される下側プラグ端子１３を備えている。さらに、プラグ端子は、ハウジング本体１１の上側（第１空間Ｓ１よりも実装面１ａＡから離れた位置）に形成された第２空間Ｓ２に圧入（挿入）される上側プラグ端子１４を備えている。
【００９０】
本実施形態では、下側プラグ端子１３は、導電性を有しており、プラグハウジング１０の幅方向（Ｙ方向）に複数並設されている。この下側プラグ端子１３は、図１２に示すように、１枚の帯板状の金属部材を板厚方向に曲げた形状をしており、挿入方向（前後方向；Ｘ方向）に沿って視た状態で略Ｕ字状をしている（図１２（ｅ），（ｆ）参照）。このような下側プラグ端子１３は、例えば、帯板状の金属部材に曲げ加工を施すことで形成することができる。
【００９１】
また、下側プラグ端子１３は、第１空間Ｓ１に圧入（挿入）される第１本体部１３０を備えている。さらに、下側プラグ端子１３は、第１本体部１３０から実装面１ａＡに向けて延設された第１脚部１３１と、第１脚部１３１に連設されてケーブル１Ａに実装される第１実装片（第１実装部）１３２と、を備えている。
【００９２】
第１本体部１３０は、底壁１３３と、底壁１３３の幅方向（Ｙ方向）両端部に連設された側壁１３４と、を備えている。
【００９３】
底壁１３３は、側壁１３４の下端が連設された底壁本体１３５と、底壁本体１３５の前端に連設されて前方に突出する接点保護部１３６と、を備えている。この接点保護部１３６は、第１本体部１３０を第１空間Ｓ１に圧入（挿入）する際に、下側プラグ端子１３の接点部１３０ａがハウジング本体１１に接触してしまうのを抑制するものである。
【００９４】
また、底壁本体１３５および接点保護部１３６には、幅方向（Ｙ方向）両端から外方に向けて突出する規制片１３５ａ，１３６ａがそれぞれ形成されている。そして、この規制片１３５ａ，１３６ａによって、第１本体部１３０を第１空間Ｓ１に圧入（挿入）する際に、第１本体部１３０が斜めに圧入（挿入）されてしまうのが抑制されるようにしている。
【００９５】
側壁１３４は、下端が底壁本体１３５に連設された側壁本体１３７と、側壁本体１３７の前端に弾性変形可能に連設され、レセプタクルコネクタの接点部に接触する接触片１３８と、を備えている。
【００９６】
側壁本体１３７の上端には、規制突起１３７ａが形成されており、この規制突起１３７ａによって、第１本体部１３０を第１空間Ｓ１に圧入（挿入）する際に、第１本体部１３０が浮き上がってしまうのが抑制されるようにしている。
【００９７】
また、接触片１３８は、幅方向内側に屈曲するように側壁本体１３７の前端に連設された内側屈曲片１３８ａと、幅方向内側に屈曲するように内側屈曲片１３８ａの前端に連設された外側屈曲片１３８ｂと、を備えている。
【００９８】
本実施形態では、この接触片１３８は、一対の側壁本体１３７，１３７のそれぞれに連設されており、平面視で略線対称となるように形成されている。すなわち、一対の接触片１３８，１３８は、前方に向かうにつれて互いに近づく方向に屈曲した形状の内側屈曲片１３８ａ，１３８ａと、前方に向かうにつれて互いに離れる方向に屈曲した形状の外側屈曲片１３８ｂ，１３８ｂと、を備えている。
【００９９】
そして、一対の接触片１３８，１３８が最も近づいた部位（内側屈曲片１３８ａと外側屈曲片１３８ｂとの連設部）で、レセプタクルコネクタの接点部を挟持するようにしている（図３（ａ）および図６（ｂ）参照）。このように、本実施形態では、一対の接触片１３８，１３８を、下側プラグ端子１３の接点部１３０ａとして機能させている。そして、一対の外側屈曲片１３８ｂを、レセプタクルコネクタの接点部をよりスムーズに導入するためのガイド部として機能させている。
【０１００】
さらに、本実施形態では、一対の側壁本体１３７，１３７のうちの一方の側壁本体１３７の後端に、後方に突出する延設壁１３９が連設されており、第１本体部１３０は、片側が後方に突出した形状をしている。
【０１０１】
この延設壁１３９の上端には、圧入突起１３９ａが形成されており、この圧入突起１３９ａをハウジング本体１１に食い込ませることで、第１本体部１３０が第１空間Ｓ１に圧入されている。
【０１０２】
なお、本実施形態では、下側プラグ端子１３の側壁１３４の上端が挿入されて、下側プラグ端子１３の第１空間Ｓ１への圧入（挿入）をガイドする溝部１１５ａが形成されている。そのため、第１本体部１３０の後方に突出した片側の側壁１３４を押圧することで、下側プラグ端子１３を第１空間Ｓ１へ圧入（挿入）させる場合であっても、下側プラグ端子１３の位置ずれが抑制される。その結果、下側プラグ端子１３を、よりスムーズ且つより正確に第１空間Ｓ１へと圧入（挿入）させることができる。
【０１０３】
そして、第１脚部１３１が、延設壁１３９の後端部から下方（ケーブル１Ａ：被実装部材）に向けて延設されている。このように、本実施形態では、第１脚部１３１は、第１空間Ｓ１に圧入（挿入）させた状態の第１本体部１３０からハウジング厚み方向に延設されている。また、第１脚部１３１の下端には、第１実装片１３２が前方に向けて突出するように連設されている。
【０１０４】
このとき、第１脚部１３１および第１実装片１３２は、薄板状（板状）に形成されており、板厚方向が側壁本体１３７の板厚方向と略同一の方向となるように形成されている。
【０１０５】
したがって、第１本体部１３０を第１空間Ｓ１に挿入するとともに第１実装片（第１実装部）１３２をケーブル（被実装部材）１Ａに実装した状態では、第１脚部１３１の板厚方向が幅方向（Ｙ方向）となる。すなわち、プラグコネクタ１をケーブル１Ａに実装した状態では、第１脚部１３１の板厚方向が、第１本体部１３０の第１空間Ｓ１への挿入方向および実装面１ａＡの法線方向と交差する方向となっている。
【０１０６】
一方、上側プラグ端子１４も、導電性を有しており、プラグハウジング１０の幅方向（Ｙ方向）に複数並設されている。この上側プラグ端子１４は、図１３に示すように、１枚の帯板状の金属部材を板厚方向に曲げた形状をしており、挿入方向（前後方向；Ｘ方向）に沿って視た状態で略Ｕ字状をしている（図１３（ｅ），（ｆ）参照）。このような上側プラグ端子１４も、例えば、帯板状の金属部材に曲げ加工を施すことで形成することができる。
【０１０７】
また、上側プラグ端子１４は、第２空間Ｓ２に圧入（挿入）される第２本体部１４０を備えている。さらに、上側プラグ端子１４は、第２本体部１４０から実装面１ａＡに向けて延設された第２脚部１４１と、第２脚部１４１に連設されてケーブル１Ａに実装される第２実装片（第２実装部）１４２と、を備えている。
【０１０８】
第２本体部１４０は、底壁１４３と、底壁１４３の幅方向（Ｙ方向）両端部に連設された側壁１４４と、を備えている。
【０１０９】
底壁１４３は、側壁１４４の下端が連設された底壁本体１４５と、底壁本体１４５の前端に連設されて前方に突出する接点保護部１４６と、を備えている。この接点保護部１４６は、第２本体部１４０を第２空間Ｓ２に圧入（挿入）する際に、上側プラグ端子１４の接点部１４０ａがハウジング本体１１に接触してしまうのを抑制するものである。
【０１１０】
また、底壁本体１４５および接点保護部１４６には、幅方向（Ｙ方向）両端から外方に向けて突出する規制片１４５ａ，１４６ａがそれぞれ形成されている。そして、この規制片１４５ａ，１４６ａによって、第２本体部１４０を第２空間Ｓ２に圧入（挿入）する際に、第２本体部１４０が斜めに圧入（挿入）されてしまうのが抑制されるようにしている。
【０１１１】
側壁１４４は、下端が底壁本体１４５に連設された側壁本体１４７と、側壁本体１４７の前端に弾性変形可能に連設され、レセプタクルコネクタの接点部に接触する接触片１４８と、を備えている。
【０１１２】
側壁本体１４７の上端には、規制突起１４７ａが形成されており、この規制突起１４７ａによって、第２本体部１４０を第２空間Ｓ２に圧入（挿入）する際に、第２本体部１４０が浮き上がってしまうのが抑制されるようにしている。
【０１１３】
また、接触片１４８は、幅方向内側に屈曲するように側壁本体１４７の前端に連設された内側屈曲片１４８ａと、幅方向内側に屈曲するように内側屈曲片１４８ａの前端に連設された外側屈曲片１４８ｂと、を備えている。
【０１１４】
本実施形態では、この接触片１４８は、一対の側壁本体１４７，１４７のそれぞれに連設されており、平面視で略線対称となるように形成されている。すなわち、一対の接触片１４８，１４８は、前方に向かうにつれて互いに近づく方向に屈曲した形状の内側屈曲片１４８ａ，１４８ａと、前方に向かうにつれて互いに離れる方向に屈曲した形状の外側屈曲片１４８ｂ，１４８ｂと、を備えている。
【０１１５】
そして、一対の接触片１４８，１４８が最も近づいた部位（内側屈曲片１４８ａと外側屈曲片１４８ｂとの連設部）で、レセプタクルコネクタの接点部を挟持するようにしている（図３（ｂ）および図６（ｂ）参照）。このように、本実施形態では、一対の接触片１４８，１４８を、上側プラグ端子１４の接点部１４０ａとして機能させている。そして、一対の外側屈曲片１４８ｂを、レセプタクルコネクタの接点部をよりスムーズに導入するためのガイド部として機能させている。
【０１１６】
さらに、本実施形態では、一対の側壁本体１４７，１４７のうちの一方の側壁本体１４７の後端に、後方に突出する延設壁１４９が連設されており、第２本体部１４０は、片側が後方に突出した形状をしている。
【０１１７】
この延設壁１４９の上端には、圧入突起１４９ａが形成されており、この圧入突起１４９ａをハウジング本体１１に食い込ませることで、第２本体部１４０が第２空間Ｓ２に圧入されている。
【０１１８】
なお、本実施形態では、上側プラグ端子１４の側壁１４４の上端が挿入されて、上側プラグ端子１４の第２空間Ｓ２への圧入（挿入）をガイドする溝部１１１ｃが形成されている。そのため、第２本体部１４０の後方に突出した片側の側壁１４４を押圧することで、上側プラグ端子１４を第２空間Ｓ２へ圧入（挿入）させる場合であっても、上側プラグ端子１４の位置ずれが抑制される。その結果、上側プラグ端子１４を、よりスムーズ且つより正確に第２空間Ｓ２へと圧入（挿入）させることができる。
【０１１９】
そして、第２脚部１４１が、延設壁１４９の後端部から下方（ケーブル１Ａ：被実装部材）に向けて延設されている。この第２脚部１４１は、上下方向の長さが第１脚部１３１よりも長くなっている。このように、本実施形態では、第２脚部１４１は、第２空間Ｓ２に圧入（挿入）させた状態の第２本体部１４０からハウジング厚み方向に延設されている。また、第２脚部１４１の下端には、第２実装片１４２が後方に向けて突出するように連設されている。
【０１２０】
このように、本実施形態では、前後方向（Ｘ方向：本体部の空間への挿入方向）の前方（一方側）に突出するように第１実装片（第１実装部）１３２が第１脚部１３１に連設されている。また、前後方向（Ｘ方向：本体部の空間への挿入方向）の後方（他方側）に突出するように第２実装片（第２実装部）１４２が第２脚部１４１に連設されている。
【０１２１】
また、第１脚部１３１および第２脚部１４１は、第１本体部１３０および第２本体部１４０を第１空間Ｓ１および第２空間Ｓ２に挿入した状態で、前後方向の位置が略同一となるようにしている（図１４参照）。そして、第１脚部１３１および第２脚部１４１は、第１本体部１３０および第２本体部１４０を第１空間Ｓ１および第２空間Ｓ２に挿入した状態で、幅方向の位置が略半ピッチだけずれるようにしている。
【０１２２】
したがって、本実施形態では、複数のプラグ端子をプラグハウジング１０に保持させた状態で、実装部（第１実装片１３２および第２実装片１４２）が千鳥状に配置されるようになっている。
【０１２３】
さらに、第１実装片１３２は、第１本体部１３０を第１空間Ｓ１に挿入した状態で、底壁１１２の後端部に形成された凹部１１２ｆに収容されるようにしている。一方、第２実装片１４２は、第２本体部１４０を第２空間Ｓ２に挿入した状態で、第２空間Ｓ２の挿入口Ｓ１ａよりも後方に位置するようにしている。
【０１２４】
したがって、複数のプラグ端子をプラグハウジング１０に保持させるとともにケーブル１Ａに実装させた状態における平面視で、第１実装片１３２がプラグハウジング１０と重なり合うこととなる。一方、複数のプラグ端子をプラグハウジング１０に保持させるとともにケーブル１Ａに実装させた状態における平面視で、第２実装片１４２がプラグハウジング１０から露出することとなる。
【０１２５】
すなわち、プラグコネクタ１をケーブル１Ａに実装した状態で、プラグハウジング１０を実装面１ａＡの法線方向に沿って視たときに、第１実装片１３２および第２実装片１４２のうちいずれか一方の実装片（実装部）がプラグハウジング１０と重なり合っている。
【０１２６】
このように、本実施形態では、複数のプラグ端子がプラグハウジングに保持された状態で、実装部が空間の挿入口（後端縁）を挟んだ両側に千鳥状に配置されるようにしている。
【０１２７】
また、第２脚部１４１および第２実装片１４２も、薄板状（板状）に形成されており、板厚方向が側壁本体１４７の板厚方向と略同一の方向となるように形成されている。
【０１２８】
したがって、第２本体部１４０を第２空間Ｓ２に挿入するとともに第２実装片（第２実装部）１４２をケーブル（被実装部材）１Ａに実装した状態では、第２脚部１４１の板厚方向が幅方向（Ｙ方向）となる。すなわち、プラグコネクタ１をケーブル１Ａに実装した状態では、第２脚部１４１の板厚方向が、第２本体部１４０の第２空間Ｓ２への挿入方向および実装面１ａＡの法線方向と交差する方向となっている。
【０１２９】
また、本実施形態では、第１挿入口Ｓ１ａが、空間Ｓ１，Ｓ２に端子１３，１４の本体部１３０，１４０を挿入した状態で、前後方向の後方から視たときに、第２脚部１４１によって２つの領域Ｒ１，Ｒ２に分断されている（図１６参照）。すなわち、プラグコネクタ１をケーブル１Ａに実装した状態で、プラグハウジングを本体部１３０，１４０の空間Ｓ１，Ｓ２への挿入方向に沿って視たときに、第１空間Ｓ１の第１挿入口Ｓ１ａが第２脚部１４１によって２つの領域Ｒ１，Ｒ２に分断されている。
【０１３０】
さらに、本実施形態では、第１本体部１３０の第１空間Ｓ１への圧入（挿入）完了位置において、第１脚部１３１が、溝部１１２ｅに挿入されて幅方向（Ｙ方向；板厚方向）への移動が規制された状態で保持されるようにしている。すなわち、ハウジング本体１１の底壁１１２に形成された溝部１１２ｅを、第１脚部１３１を保持する脚部保持部１１８として機能させている。このように、プラグコネクタ１は、プラグハウジング１０に接続され、第１脚部１３１を保持する脚部保持部１１８を備えている。本実施形態では、脚部保持部１１８は、プラグハウジング１０に一体に形成されている。なお、プラグハウジング１０とは別体の部材をプラグハウジング１０に接続することで、脚部保持部を形成してもよい。
【０１３１】
また、第２本体部１４０の第２空間Ｓ２への圧入（挿入）完了位置において、第２脚部１４１が、溝部１１５ｂおよび溝部１１２ｄに挿入されて幅方向（Ｙ方向；板厚方向）への移動が規制された状態で保持されるようにしている。すなわち、ハウジング本体１１の仕切り壁１１５に形成された溝部１１５ｂおよび底壁１１２に形成された溝部１１２ｅを、第２脚部１４１を保持する脚部保持部１１９として機能させている。このように、プラグコネクタ１は、プラグハウジング１０に接続され、第２脚部１４１を保持する脚部保持部１１９を備えている。本実施形態では、脚部保持部１１９も、プラグハウジング１０に一体に形成されているが、別体に形成されていてもよい。
【０１３２】
こうすることで、端子１３，１４の本体部１３０，１４０の空間Ｓ１，Ｓ２への圧入（挿入）時や、空間Ｓ１，Ｓ２に圧入（挿入）された端子１３，１４のケーブル１Ａへの実装時などに、脚部１３１，１４１が変形してしまうのが抑制されるようにしている。
【０１３３】
［レセプタクルコネクタ２の構成例］
次に、レセプタクルコネクタ２の構成の一例を、図１８〜図２４に基づき説明する。
【０１３４】
レセプタクルコネクタ（第２コネクタ）２は、図１８，１９に示すように、レセプタクルハウジング（第２ハウジング）２０と、レセプタクルハウジング２０に保持されるレセプタクル端子（第２端子）２３，２４と、を備えている。また、レセプタクルコネクタ２は、レセプタクルハウジング２０に保持される保持金具２５を備えている。
【０１３５】
そして、レセプタクルハウジング２０に保持されたレセプタクル端子２３，２４が、レセプタクルハウジング２０の外側に配置された回路基板２Ａの導体部２ｂＡに実装されることで、レセプタクルコネクタ２が被実装部材としての回路基板２Ａに実装されるようになっている。なお、レセプタクル端子２３，２４も、半田付け等により導体部２ｂＡに実装されている。また、保持金具２５は、レセプタクルハウジング２０に保持された状態で、半田付け等により回路基板２Ａの固定部２ｃＡに固定されることで、レセプタクルハウジング２０を回路基板２Ａに固定するためのものである。
【０１３６】
なお、回路基板２Ａは、略矩形板状をしており、剛性および絶縁性を有する樹脂材料等で形成された基板本体２ａＡを備えている。そして、この基板本体２ａＡの表面２１ａＡに露出するように、導体部２ｂＡおよび固定部２ｃＡが形成されている。このように、本実施形態では、基板本体２ａＡの表面２１ａＡが実装面となっている。
【０１３７】
レセプタクルハウジング２０は、剛性を有するハウジング本体（第２ハウジング本体）２１を備えており、このレセプタクルハウジング２０は、例えば、絶縁性の樹脂材料を用いて形成することができる。
【０１３８】
また、ハウジング本体２１の上部には、プラグハウジング１０とレセプタクルハウジング２０とを嵌合状態で保持したり、嵌合状態を解除したりするロック部１２が挿入されるロック部挿入部２２が形成されている。
【０１３９】
このように、本実施形態では、レセプタクルハウジング２０は、ハウジング本体２１と、ハウジング本体２１に形成されたロック部挿入部２２と、を備えている。
【０１４０】
ハウジング本体２１は、天壁２１１と、底壁２１２と、天壁２１１および底壁２１２の幅方向（Ｙ方向）の両端をそれぞれ連設する一対の側壁２１３と、天壁２１１、底壁２１２および側壁２１３，２１３の後端に連設された後壁２１４と、を備えている。
【０１４１】
そして、天壁２１１の幅方向中央部にロック部挿入部２２が形成されている。具体的には、ロック部挿入部２２は、天壁２１１における上方に突出させた部位の内側に形成されており、レバー部１２１を収容する収容部２２１を備えている。この収容部２２１の前後方向の中央部には、ロック部１２の係合突部１２１ｂが係合する係合凹部（係合部）２２１ａが形成されている。
【０１４２】
また、収容部２２１の幅方向両側には、スライド部材３の上側アーム部３３が挿入される挿入空間Ｓ８が形成されている。そして、天壁２１１には、下方に突出する突部（被係止部）２１１ｃが、挿入方向（前後方向；Ｘ方向）に沿って視た状態で、挿入空間Ｓ８に配置されるように形成されている。この突部２１１ｃは、上側アーム部３３を下方に撓ませたり、上側アーム部３３の先端に形成された係合突部３２ｂを係止したりするものである。
【０１４３】
そして、天壁２１１には、ガイド溝１１１ｂに収容されるガイド突部２１１ｂが形成されている。
【０１４４】
また、底壁２１２の幅方向中央部には、上方に突出する位置決め突部２１２ｂが形成されている。そして、プラグハウジング１０をレセプタクルハウジング２０に嵌合させる際には、この位置決め突部２１２ｂによって、ケーブル１Ａの幅方向の位置決めがなされるようにしている。
【０１４５】
また、後壁２１４には、前後方向に貫通する空間が複数形成されている。本実施形態では、幅方向（Ｙ方向）に複数並設された空間が上下方向（Ｚ方向）に２段形成されるようにしている。さらに、ハウジング本体２１を前後方向の後方から視たときに、複数の空間が千鳥状に形成されるようにしている。こうすることで、レセプタクルコネクタ２の幅方向の小型化を図っている。
【０１４６】
そして、前後方向に貫通する空間内に、レセプタクル端子２３，２４がそれぞれ圧入（挿入）されるようになっている。
【０１４７】
具体的には、ハウジング本体２１の下側（実装面２１ａＡ側）に形成された空間が、レセプタクル端子２３，２４のうち後述する下側レセプタクル端子２３が圧入（挿入）される第１空間Ｓ３となっている。
【０１４８】
一方、ハウジング本体２１の上側（第１空間Ｓ３よりも実装面２１ａＡから離れた位置）に形成された空間が、レセプタクル端子２３，２４のうち後述する上側レセプタクル端子２４が圧入（挿入）される第２空間Ｓ４となっている。
【０１４９】
そして、下側レセプタクル端子２３は、第１空間Ｓ３の後端側の開口から前方に向けて圧入（挿入）されるようになっており、この第１空間Ｓ３の後端側の開口が挿入口Ｓ３ａとなっている。同様に、上側レセプタクル端子２４は、第２空間Ｓ４の後端側の開口から前方に向けて圧入（挿入）されるようになっており、この第２空間Ｓ４の後端側の開口が挿入口Ｓ４ａとなっている。
【０１５０】
また、ハウジング本体２１には、前方（プラグコネクタ１側）に開口する嵌合空間Ｓ５が形成されている。この嵌合空間Ｓ５は、プラグハウジング１０のハウジング本体１１が挿入嵌合される空間で、天壁２１１、底壁２１２、一対の側壁２１３，２１３および後壁２１４によって画成されている。したがって、第１空間Ｓ３および第２空間Ｓ４は、それぞれ嵌合空間Ｓ５に連通するように形成されている。
【０１５１】
さらに、本実施形態では、後壁２１４の後端に、上下方向に延在して後方に突出する突条２１４ａが幅方向に複数並設されている。具体的には、突条２１４ａは、幅方向で隣り合う第１空間Ｓ３と第２空間Ｓ４との間に形成されている。
【０１５２】
また、底壁２１２の後端部には、下方および後方に開口して前後方向に延在する凹部２１２ａが形成されている。この凹部２１２ａは、圧入（挿入）完了状態における上側レセプタクル端子２４の実装片（実装部）２４２が収容されるものである。
【０１５３】
また、一対の側壁２１３，２１３には、保持金具２５が保持される保持金具取付部２１３ａ，２１３ａがそれぞれ形成されている。
【０１５４】
本実施形態では、保持金具取付部２１３ａは、上下方向および幅方向の外方に開口する凹部２１３ｂと、凹部２１３ｂの幅方向内側に連設されて、保持金具２５の本体部２５１の前後方向の両端が挿入されるスリット２１３ｃ，２１３ｃと、備えている。そして、保持金具２５をレセプタクルハウジング２０に保持した状態で、本体部２５１の下端に連設された固定片２５２を回路基板２Ａの固定部２ｃＡに固定することで、レセプタクルハウジング２０を回路基板２Ａに固定させている。
【０１５５】
また、本実施形態では、レセプタクル端子は、レセプタクルハウジング２０に形成された空間に挿入される本体部と、本体部から回路基板２Ａの実装面２１ａＡに向けて延設された脚部と、脚部に連設されて回路基板２Ａに実装される実装部と、を備えている。
【０１５６】
具体的には、レセプタクル端子は、ハウジング本体２１の下側（実装面２１ａＡ側）に形成された第１空間Ｓ３に圧入（挿入）される下側レセプタクル端子２３を備えている。さらに、レセプタクル端子は、ハウジング本体２１の上側（第１空間Ｓ３よりも実装面２１ａＡから離れた位置）に形成された第２空間Ｓ４に圧入（挿入）される上側レセプタクル端子２４を備えている。
【０１５７】
本実施形態では、下側レセプタクル端子２３は、導電性を有しており、レセプタクルハウジング２０の幅方向（Ｙ方向）に複数並設されている。この下側レセプタクル端子２３は、図２２に示すように、薄板状に形成されており、板厚方向を幅方向（Ｙ方向）に略一致させた状態でハウジング本体２１に形成された第１空間Ｓ３に後方から圧入（挿入）されている。このような下側レセプタクル端子２３は、例えば、薄板金属を打抜き加工することで形成することができる。
【０１５８】
また、下側レセプタクル端子２３は、第１空間Ｓ３に圧入（挿入）される第１本体部２３０を備えている。さらに、下側レセプタクル端子２３は、第１本体部２３０から実装面２１ａＡに向けて延設された第１脚部２３１と、第１脚部２３１に連設されて回路基板２Ａに実装される第１実装片（第１実装部）２３２と、を備えている。
【０１５９】
そして、第１本体部２３０の前端には、略棒状の接点部２３０ａが前方に突出するように形成されている。また、第１本体部２３０の上端および下端には、圧入突起２３０ｂが形成されており、この圧入突起２３０ｂをハウジング本体２１に食い込ませることで、第１本体部２３０が第１空間Ｓ３に圧入されている。そして、第１本体部２３０を第１空間Ｓ３に圧入（挿入）した状態で、接点部２３０ａが嵌合空間Ｓ５内に配置されるようにしている。
【０１６０】
また、本実施形態では、第１脚部２３１が、第１本体部２３０の後端部から下方（回路基板２Ａ：被実装部材）に向けて延設されている。具体的には、第１脚部２３１は、クランク状に屈曲した形状をしており、下端が第１本体部２３０よりも後方に位置するようになっている。このように、本実施形態では、第１脚部２３１は、第１空間Ｓ３に圧入（挿入）させた状態の第１本体部２３０からハウジング厚み方向（上下方向）に延設されている。そして、この第１脚部２３１の下端に、第１実装片２３２が後方に向けて突出するように連設されている。
【０１６１】
一方、上側レセプタクル端子１４も、導電性を有しており、レセプタクルハウジング２０の幅方向（Ｙ方向）に複数並設されている。この上側レセプタクル端子２４は、図２３に示すように、薄板状に形成されており、板厚方向を幅方向（Ｙ方向）に略一致させた状態でハウジング本体２１に形成された第２空間Ｓ４に後方から圧入（挿入）されている。このような上側レセプタクル端子２４も、例えば、薄板金属を打抜き加工することで形成することができる。
【０１６２】
また、上側レセプタクル端子２４は、第２空間Ｓ４に圧入（挿入）される第２本体部２４０を備えている。さらに、上側レセプタクル端子２４は、第２本体部２４０から実装面２１ａＡに向けて延設された第２脚部２４１と、第２脚部２４１に連設されて回路基板２Ａに実装される第２実装片（第２実装部）２４２と、を備えている。
【０１６３】
そして、第２本体部２４０の前端には、略棒状の接点部２４０ａが前方に突出するように形成されている。また、第２本体部２４０の上端および下端には、圧入突起２４０ｂが形成されており、この圧入突起２４０ｂをハウジング本体２１に食い込ませることで、第２本体部２４０が第２空間Ｓ４に圧入されている。そして、第２本体部２４０を第２空間Ｓ４に圧入（挿入）した状態で、接点部２４０ａが嵌合空間Ｓ５内に配置されるようにしている。
【０１６４】
また、本実施形態では、第２脚部２４１が、第２本体部２４０の後端部から下方（回路基板２Ａ：被実装部材）に向けて略直線状に延設されている。このように、本実施形態では、第２脚部２４１は、第２空間Ｓ４に圧入（挿入）させた状態の第２本体部２４０からハウジング厚み方向（上下方向）に延設されている。この第２脚部２４１は、上下方向の長さが第１脚部２３１よりも長くなっている。そして、この第２脚部２４１の下端に、第１実装片２３２が前方に向けて突出するように連設されている。
【０１６５】
このように、本実施形態では、前後方向（Ｘ方向：本体部の空間への挿入方向）の前方（一方側）に突出するように第２実装片（第２実装部）２４２が第２脚部２４１に連設されている。また、前後方向（Ｘ方向：本体部の空間への挿入方向）の後方（他方側）に突出するように第１実装片（第１実装部）２３２が第１脚部２３１に連設されている。
【０１６６】
すなわち、複数のレセプタクル端子をレセプタクルハウジング２０に保持させた状態で、実装部（第１実装片２３２および第２実装片２４２）が千鳥状に配置されるようになっている。
【０１６７】
さらに、第２実装片２４２は、第２本体部２４０を第２空間Ｓ４に挿入した状態で、底壁２１２の後端部に形成された凹部２１２ａに収容されるようにしている。一方、第１実装片２３２は、第１本体部２３０を第１空間Ｓ３に挿入した状態で、第１空間Ｓ３の挿入口Ｓ３ａよりも後方に位置するようにしている。
【０１６８】
したがって、複数のレセプタクル端子をレセプタクルハウジング２０に保持させるとともに回路基板２Ａに実装させた状態における平面視で、第２実装片２４２がレセプタクルハウジング２０と重なり合うこととなる。一方、複数のレセプタクル端子をレセプタクルハウジング２０に保持させるとともに回路基板２Ａに実装させた状態における平面視で、第１実装片２３２がレセプタクルハウジング２０から露出することとなる。
【０１６９】
すなわち、レセプタクルコネクタ１を回路基板２Ａに実装した状態で、レセプタクルハウジング２０を実装面２１ａＡの法線方向に沿って視たときに、第１実装片２３２および第２実装片２４２のうちいずれか一方の実装片（実装部）がレセプタクルハウジング２０と重なり合っている。
【０１７０】
このように、本実施形態では、複数のレセプタクル端子がレセプタクルハウジングに保持された状態で、実装部が空間の挿入口（後端縁）を挟んだ両側に千鳥状に配置されるようにしている。
【０１７１】
さらに、本実施形態では、第１本体部２３０の第１空間Ｓ３への圧入（挿入）完了位置において、第１脚部２３１が突条２１４ａの間に、幅方向（Ｙ方向；板厚方向）への移動が規制された状態で保持されるようにしている。すなわち、ハウジング本体２１の後壁２１４に形成された突条２１４ａを、第１脚部２３１を保持する脚部保持部２１６として機能させている。このように、レセプタクルコネクタ２は、レセプタクルハウジング２０に接続され、第１脚部２３１を保持する脚部保持部２１６を備えている。本実施形態では、脚部保持部２１６は、レセプタクルハウジング２０に一体に形成されている。なお、レセプタクルハウジング２０とは別体の部材をレセプタクルハウジング２０に接続することで、脚部保持部を形成してもよい。
【０１７２】
また、第２本体部２４０の第２空間Ｓ４への圧入（挿入）完了位置において、第２脚部２４１が突条２１４ａの間に、幅方向（Ｙ方向；板厚方向）への移動が規制された状態で保持されるようにしている。すなわち、ハウジング本体２１の後壁２１４に形成された突条２１４ａを、第２脚部２４１を保持する脚部保持部２１７として機能させている。このように、レセプタクルコネクタ２は、レセプタクルハウジング２０に接続され、第２脚部２４１を保持する脚部保持部２１７を備えている。本実施形態では、脚部保持部２１７も、レセプタクルハウジング２０に一体に形成されているが、別体に形成されていてもよい。
【０１７３】
こうすることで、端子２３，２４の本体部２３０，２４０の空間Ｓ３，Ｓ４への圧入（挿入）時に、脚部２３１，２４１が変形してしまうのが抑制されるようにしている。
【０１７４】
このような構成をしたレセプタクルコネクタ２に上述のプラグコネクタ１を嵌合させると、プラグハウジング１０のロック部１２がレセプタクルハウジング２０のロック部挿入部２２に挿入され、ハウジング本体１１が嵌合空間Ｓ５に挿入されることとなる。
【０１７５】
このとき、レバー部１２１の係合突部１２１ｂがレセプタクルハウジング２０の天壁２１１により下方に押圧されることになる。このように、係合突部１２１ｂが天壁２１１により下方に押圧されると、レバー部１２１の後端部（操作部１２１ａ）が下方に移動するように弾性変形して、係合突部１２１ｂがロック部挿入部２２の奥側まで移動できるようになる。
【０１７６】
そして、係合突部１２１ｂをロック部挿入部２２の奥側まで移動させると、天壁２１１による係合突部１２１ｂの下方への押圧が解除されて、レバー部１２１の弾性復元力により係合突部１２１ｂが上方に移動する。そして、係合突部１２１ｂが上方に移動することで、レセプタクルコネクタ２に形成された係合凹部２２１ａに係合して、プラグコネクタ１とレセプタクルコネクタ２とが嵌合状態でロックされることになる。
【０１７７】
また、プラグコネクタ１をレセプタクルコネクタ２に嵌合させる途中で、下側レセプタクル端子２３の接点部２３０ａの先端が導入口Ｓ１ｂからプラグハウジング１０に形成された第１空間Ｓ１内に導入されて、下側プラグ端子１３の接点部１３０ａに接触する。なお、本実施形態では、略棒状の接点部２３０ａが一対の接触片１３８，１３８の間に挿入され、一対の接触片１３８，１３８によって挟持されることで、下側プラグ端子１３と下側レセプタクル端子２３とを導通接続させている。
【０１７８】
同様に、上側レセプタクル端子２４の接点部２４０ａの先端が導入口Ｓ２ｂからプラグハウジング１０に形成された第２空間Ｓ２内に導入されて、上側プラグ端子１４の接点部１４０ａに接触する。なお、本実施形態では、略棒状の接点部２４０ａが一対の接触片２３８，２３８の間に挿入され、一対の接触片２３８，２３８によって挟持されることで、上側プラグ端子１４と上側レセプタクル端子２４とを導通接続させている。
【０１７９】
このように、プラグコネクタ１をレセプタクルコネクタ２に嵌合させて、端子１３，１４と端子２３，２４とを導通接続させることで、ケーブル１Ａと回路基板２Ａとを電気的に接続させるコネクタセットＣ１が形成される。
【０１８０】
一方、プラグコネクタ１をレセプタクルコネクタ２から取り外す際には、まず、レバー部１２１の操作部１２１ａを押し下げて、レバー部１２１を下方に移動させる。こうすることで、係合突部１２１ｂも下方に移動し、係合突部１２１ｂと係合凹部２２１ａとの係合が解除される。そして、係合突部１２１ｂと係合凹部２２１ａとの係合を解除した状態で、プラグコネクタ１をレセプタクルコネクタ２に対して抜去方向に引っ張ると、プラグコネクタ１がレセプタクルコネクタ２に対して抜去方向に相対移動することとなる。このように、プラグコネクタ１をレセプタクルコネクタ２に対して抜去方向に相対移動させると、まず、端子同士の導通接続が解除され、その後に、ハウジング同士の嵌合が解除されることとなる。こうして、プラグコネクタ１がレセプタクルコネクタ２から取り外されることになる。
【０１８１】
［スライド部材３の構成例］
次に、スライド部材３の構成の一例を、図２５に基づき説明する。
【０１８２】
スライド部材３は、略矩形板状の本体部３１を備えており、この本体部３１の上部に取手３１ａが形成されている。
【０１８３】
また、本体部３１の下部における幅方向の両側には、一対の下側アーム部３２が前後方向の前方に延びるように連設されている。一対の下側アーム部３２は、片持ち状態で本体部３１に連設されており、幅方向に弾性変形できるように形成されている。この下側アーム部３２の先端（前端）には、幅方向外側に突出するように係止突部３２ａが形成されている。
【０１８４】
一方、本体部３１の上部における幅方向の両側には、一対の上側アーム部３３が前後方向の前方に延びるように連設されている。一対の上側アーム部３３は、片持ち状態で本体部３１に連設されており、上下方向（端子の挿入方向と交差する方向）に弾性変形できるように形成されている。この上側アーム部３３の先端（前端）には、上方に突出するように係合突部（係合部）３３ｂが形成されている。
【０１８５】
また、上側アーム部３３の前後方向の略中央部には、上方に突出する突部３３ａが形成されている。
【０１８６】
そして、本体部３１の下部における幅方向の中央には、前方かつ上方に延在する規制突部（規制部）３１ｂが形成されている。
【０１８７】
上述したように、本実施形態では、このスライド部材３をＣＰＡ部材として機能させている。すなわち、スライド部材３は、プラグハウジング１０のレセプタクルハウジング２０への嵌合が完了していない状態では、初期位置（第１位置）からスライド完了位置（第１位置）へのスライド移動が規制されるように、プラグハウジング１０にスライド可能に取り付けられている。そして、プラグハウジング１０のレセプタクルハウジング２０への嵌合が完了した状態になると、初期位置からスライド完了位置へのスライド移動が許容されるように構成されている。
【０１８８】
具体的には、スライド部材３は、下側アーム部３２の先端を幅方向の内側に撓ませた状態で挿入空間Ｓ６に挿入するようになっている。このとき、上側アーム部３３の先端も挿入空間Ｓ６に挿入されることとなる。
【０１８９】
そして、下側アーム部３２および上側アーム部３３の先端を挿入空間Ｓ６に挿入させた状態で、スライド部材３を前方に所定量だけ移動させる（挿入する）と、下側アーム部３２の先端が、凹部１１ａを画成する上側隔壁１１６に形成された段差部１１６ｂよりも前方に移動することとなる。このように、下側アーム部３２の先端が段差部１１６ｂよりも前方に移動すると、下側アーム部３２が弾性復元力により互いに開く方向（幅方向の外側）に移動し、下側アーム部３２の係止突部３２ａが段差部１１６ｂに係止されることとなる。こうして、スライド部材３は、ハウジング本体１１からの抜けが抑制された状態で、プラグハウジング１０にスライド可能に保持される（仮保持される）こととなる。
【０１９０】
なお、下側アーム部３２の係止突部３２ａを段差部１１６ｂに係止させた状態では、上側アーム部３３は、突部３３ａが、規制突部（スライド規制部）１１１ｄの後方に、当該規制突部（スライド規制部）１１１ｄと対向するように配置されることとなる（図２７参照）。
【０１９１】
したがって、レセプタクルハウジング２０に嵌合していないプラグハウジング１０にスライド部材３を仮保持した状態で、スライド部材３を前方にスライドさせようとすると、上側アーム部３３の突部３３ａが規制突部１１１ｄに突き当たるため、スライド部材３のそれ以上の前方への移動が規制されることとなる。
【０１９２】
本実施形態では、このような構成とすることで、プラグハウジング１０のレセプタクルハウジング２０への嵌合が完了していない状態では、スライド部材３が初期位置からスライド完了位置へとスライドさせることができないようにしている。なお、本実施形態では、下側アーム部３２の係止突部３２ａを段差部１１６ｂに係止させた状態を、スライド部材３の初期位置としている。
【０１９３】
そして、スライド部材３を仮保持させたプラグハウジング１０をレセプタクルハウジング２０に嵌合させると、嵌合開始から嵌合完了までの間に、上側アーム部３３の係合突部３３ｂが天壁２１１の突部２１１ｃに当接して下方に押し下げられることとなる。そして、プラグハウジング１０とレセプタクルハウジング２０との嵌合が完了した状態においては、係合突部３３ｂの先端が突部２１１ｃの下面に当接して、上側アーム部３３が下方に撓んだ状態となる。このとき、上側アーム部３３の突部３３ａも下方に移動して、規制突部（スライド規制部）１１１ｄよりも下側に位置することとなる（図２８参照）。
【０１９４】
したがって、プラグハウジング１０をレセプタクルハウジング２０に嵌合させると、規制突部１１１ｄによる突部３３ａの前方への移動の規制が解除されるため、スライド部材３を前方にスライドさせることができるようになる。このように、本実施形態では、上下に弾性変形可能な上側アーム部３３と、この上側アーム部３３に、規制突部１１１ｄに当接可能に形成された突部３３ａと、をスライドロック機構３４として機能させている。
【０１９５】
そして、スライド部材３を前方にスライドさせて、上側アーム部３３の係合突部３３ｂを天壁２１１の突部２１１ｃの前端に係止させることで、このスライド部材３によっても、プラグハウジング１０とレセプタクルハウジング２０とを嵌合状態でロックしている（図２９参照）。なお、本実施形態では、上側アーム部３３の係合突部３３ｂを天壁２１１の突部２１１ｃの前端に係止させた状態を、スライド部材３のスライド完了位置（完了位置：第２位置）としている。
【０１９６】
こうすることで、コネクタセットＣ１は、レバー部１２１およびスライド部材３により二重にロックされることとなる。
【０１９７】
さらに、本実施形態では、スライド部材３をスライド完了位置（完了位置）までスライドさせると、規制突部（規制部）３１ｂが撓み許容空間Ｓ７に挿入されるようにしている（図３０参照）。そして、撓み許容空間Ｓ７に挿入された規制突部３１ｂによって、レバー部１２１の下方への移動が規制されるようにしている。
【０１９８】
このとき、レバー部１２１が規制突部３１ｂに当接した状態でも、係合突部１２１ｂと係合凹部２２１ａとが係合しているように、規制突部３１ｂの上方への突出量を設定するのが好ましい。こうすれば、スライド部材３によるロックを解除させない限り、レバー部１２１によるロックが解除されないようにすることができ、より確実にロック状態を維持できるようになる。
【０１９９】
なお、レバー部１２１およびスライド部材３により二重にロックされたコネクタセットＣ１の嵌合を解除する場合、まず、スライド完了位置にあるスライド部材３を初期位置までスライドさせることとなる。本実施形態では、スライド部材３を後方（初期位置側）まで強く引っ張ることで、係合突部３３ｂと突部２１１ｃとの係止が解除されるようになっている。したがって、例えば、操作者等が取手３１ａを把持してスライド部材３を後方に強く引っ張るようにすれば、スライド部材３は初期位置までスライドすることとなる。
【０２００】
このように、スライド部材３を初期位置までスライドさせることで、レバー部１２１の下方への移動の規制が解除され、レバー部１２１によるロックを解除できるようになる。
【０２０１】
そして、上述したプラグコネクタ１のレセプタクルコネクタ２からの取り外し作業を行うことで、プラグコネクタ１がレセプタクルコネクタ２から取り外されることになる。
【０２０２】
以上説明したように、本実施形態にかかるコネクタセットＣ１は、プラグハウジング（第１ハウジング）１０と、プラグハウジング１０に保持される第１端子（下側プラグ端子１３および上側プラグ端子１４）と、を有するプラグコネクタ（第１コネクタ）１を備えている。
【０２０３】
また、コネクタセットＣ１は、プラグハウジング１０と嵌合するレセプタクルハウジング（第２ハウジング）２０と、レセプタクルハウジング２０に保持され、プラグハウジング１０とレセプタクルハウジング２０とを嵌合させた状態で、第１端子に導通接続される第２端子（下側レセプタクル端子２３および上側レセプタクル端子２４）と、を有するレセプタクルコネクタ（第２コネクタ）２を備えている。
【０２０４】
さらに、コネクタセットＣ１は、プラグハウジング１０およびレセプタクルハウジング２０のうちのいずれか一方のハウジング（プラグハウジング１０）に第１位置としての初期位置と第２位置としての完了位置との間でスライド可能に保持されるスライド部材３を備えている。
【０２０５】
そして、プラグハウジングは、第１端子を保持するハウジング本体（第１ハウジング本体）１１と、ハウジング本体１１に連設され、ハウジング本体１１に対して相対移動するレバー部１２１と、を備えている。
【０２０６】
また、レセプタクルハウジング２０は、第２端子を保持するハウジング本体（第２ハウジング本体）２１と、プラグハウジング１０とレセプタクルハウジング２０とを嵌合させた状態で、レバー部１２１に係合し、プラグハウジング１０とレセプタクルハウジング２０との嵌合状態を維持する係合凹部（係合部）２２１ａと、を備えている。
【０２０７】
また、スライド部材３は、スライドロック機構３４を備えている。このスライドロック機構３４は、プラグハウジング１０とレセプタクルハウジング２０とが嵌合していない状態では、一方のハウジング（プラグハウジング１０）に形成された規制突部（スライド規制部）１１１ｄに干渉して、スライド部材３の完了位置へのスライドを規制するものである。また、スライドロック機構３４は、プラグハウジング１０とレセプタクルハウジング２０とが嵌合した状態では、規制突部１１１ｄとの干渉が解除されて、スライド部材３の完了位置へのスライドを許容するものである。
【０２０８】
そして、規制突部１１ｄが一方のハウジング（プラグハウジング１０）のハウジング本体１１に形成されている。
【０２０９】
このように、本実施形態では、剛性を有する部材であるハウジング本体１１によって、スライド部材３の完了位置へのスライドが規制されるようにしている。
【０２１０】
そのため、プラグハウジング１０とレセプタクルハウジング２０とが嵌合していない状態で、規制突部１１１ｄによるスライド部材３の完了位置へのスライドの規制が解除されてしまうことをより確実に抑制することができる。すなわち、プラグハウジング１０とレセプタクルハウジング２０とが嵌合していない状態で、スライド部材３の初期位置から完了位置へのスライドが許容されてしまうことを、より確実に抑制することができる。
【０２１１】
その結果、プラグハウジング１０とレセプタクルハウジング２０との嵌合の完了をより確実に確認することができるようになる。
【０２１２】
また、本実施形態にかかるプラグコネクタ（コネクタ）１は、上述したスライド部材３が初期位置と完了位置との間でスライド可能に保持されるプラグハウジング（ハウジング）１０と、プラグハウジング１０に保持される端子（下側プラグ端子１３および上側プラグ端子１４）と、を備えている。
【０２１３】
このようなプラグコネクタ１を用いることで、プラグハウジング１０とレセプタクルハウジング２０との嵌合の完了をより確実に確認することができるようになる。
【０２１４】
このように、本実施形態によれば、プラグハウジング１０とレセプタクルハウジング２０との嵌合の完了をより確実に確認することが可能なコネクタセットＣ１およびプラグコネクタ（コネクタ）１を得ることができる。
【０２１５】
また、本実施形態では、スライド部材３に、完了位置までスライドさせた際に、他方のハウジング（レセプタクルハウジング２０）に形成された突部（被係止部）２２１ｃに係止されて、スライド部材３の初期位置へのスライドを規制する係合突部（係合部）３３ｂが形成されている。
【０２１６】
このように、スライド部材３を他方のハウジング（レセプタクルハウジング２０）に係止させるようにすれば、スライド部材３によっても、プラグハウジング１０とレセプタクルハウジング２０との嵌合が解除されてしまうことを抑制することができる。その結果、レセプタクルハウジング２０に嵌合させたプラグハウジング１０が、レセプタクルハウジング２０から外れてしまうことをより確実に抑制することができるようになる。すなわち、互いに嵌合させた状態において、プラグハウジング１０のレセプタクルハウジング２０に対する引っ張り強度をより高めることができるようになる。
【０２１７】
また、本実施形態では、突部（被係止部）２２１ｃが他方のハウジング（レセプタクルハウジング２０）のハウジング本体２１に形成されている。
【０２１８】
このように、本実施形態では、他方のハウジング（レセプタクルハウジング２０）におけるレバー部１２１と係合凹部（係合部）２２１ａとの係合箇所とは別の箇所で、スライド部材３がプラグハウジング１０とレセプタクルハウジング２０とを嵌合状態でロックするようにしている。
【０２１９】
こうすれば、プラグハウジング１０とレセプタクルハウジング２０とをロックする部分の当接面積が増加するため、互いに嵌合させた状態において、プラグハウジング１０のレセプタクルハウジング２０に対する引っ張り強度をより一層高めることができるようになる。
【０２２０】
また、本実施形態では、スライド部材３には、完了位置までスライドさせた際に、レバー部１２１のハウジング本体１１に対する相対移動を規制する規制突部（規制部）３１ｂが形成されている。
【０２２１】
こうすれば、スライド部材３によるロックを解除させない限り、レバー部１２１によるロックが解除されないようにすることが可能となる。
【０２２２】
以上、本開示の好適な実施形態について説明したが、本開示は上記実施形態およびその変形例には限定されず、種々の変形が可能である。
【０２２３】
例えば、上記実施形態では、複数の端子が上下の２段に配置されたものを例示したが、複数の端子が１段のみに配置されたコネクタや３段以上に配置されたコネクタとすることも可能である。
【０２２４】
また、同一の段に配置される端子の形状を同一の形状としたコネクタを例示したが、同一の段に複数種類の端子が配置されたコネクタとすることも可能である。
【０２２５】
また、上記実施形態では、上側アーム部３３を上下方向に弾性変形させることで規制突部１１１ｄとの干渉を解除させるようにしたものを例示したが、幅方向に弾性変形させることで、規制突部１１１ｄとの干渉を解除させるようにしてもよい。すなわち、端子の挿入方向である前後方向に対向して規制突部１１１ｄと干渉する突部３３ａを、前後方向（端子挿入方向）と交差する方向に移動させることで、規制突部１１１ｄとの干渉を解除させるようにしてもよい。
【０２２６】
また、上記実施形態では、スライド部材３の初期位置へのスライドを規制する係合突部（係合部）３３ｂを、他方のハウジング（レセプタクルハウジング２０）のハウジング本体２１に形成された突部（被係止部）２２１ｃに係止させたものを例示しているが、被係止部を、他方のハウジング（レセプタクルハウジング２０）の係合凹部（係合部）２２１ａに形成してもよい。
【０２２７】
また、上記実施形態では、プラグコネクタにスライド部材を保持させたものを例示したが、レセプタクルコネクタにスライド部材を保持させるようにすることも可能である。
【０２２８】
また、基板同士やケーブル同士を電気的に接続するコネクタ（プラグコネクタやレセプタクルコネクタ）に本開示を適用してもよい。さらに、電線と基板とを電気的に接続するコネクタ（プラグコネクタやレセプタクルコネクタ）や電線とケーブルとを電気的に接続するコネクタ（プラグコネクタやレセプタクルコネクタ）に本開示を適用してもよい。
【０２２９】
また、ハウジングや端子、その他細部のスペック（形状、大きさ、レイアウト等）も適宜に変更可能である。
【符号の説明】
【０２３０】
１  プラグコネクタ（第１コネクタ）
１０  プラグハウジング（第１ハウジング）
１１  ハウジング本体（第１ハウジング本体）
１１１ｄ  規制突部（スライド規制部）
１２１  レバー部
１３  下側プラグ端子（第１端子）
１４  上側プラグ端子（第１端子）
２  レセプタクルコネクタ（第２コネクタ）
２０  レセプタクルハウジング（第２ハウジング）
２１  ハウジング本体（第２ハウジング本体）
２１１ｃ  突部（被係止部）
２２１ａ  係合凹部（係合部）
２３  下側レセプタクル端子（第２端子）
２４  上側レセプタクル端子（第２端子）
３  スライド部材
３１ｂ  規制突部（規制部）
３３ｂ  係合突部（係合部）
３４  スライドロック機構
【図１】
2019192614.tif 000003
【図２】
2019192614.tif 000004
【図３】
2019192614.tif 000005
【図４】
2019192614.tif 000006
【図５】
2019192614.tif 000007
【図６】
2019192614.tif 000008
【図７】
2019192614.tif 000009
【図８】
2019192614.tif 000010
【図９】
2019192614.tif 000011
【図１０】
2019192614.tif 000012
【図１１】
2019192614.tif 000013
【図１２】
2019192614.tif 000014
【図１３】
2019192614.tif 000015
【図１４】
2019192614.tif 000016
【図１５】
2019192614.tif 000017
【図１６】
2019192614.tif 000018
【図１７】
2019192614.tif 000019
【図１８】
2019192614.tif 000020
【図１９】
2019192614.tif 000021
【図２０】
2019192614.tif 000022
【図２１】
2019192614.tif 000023
【図２２】
2019192614.tif 000024
【図２３】
2019192614.tif 000025
【図２４】
2019192614.tif 000026
【図２５】
2019192614.tif 000027
【図２６】
2019192614.tif 000028
【図２７】
2019192614.tif 000029
【図２８】
2019192614.tif 000030
【図２９】
2019192614.tif 000031
【図３０】
2019192614.tif 000032